Podtech/llm-jp-corpus-v4-ja_patent huggingface dataset:
【手続補正書】
【提出日】平成21年8月19日(2009.8.19)
【手続補正１】
【補正対象書類名】特許請求の範囲
【補正対象項目名】全文
【補正方法】変更
【補正の内容】
【特許請求の範囲】
【請求項１】
（ｉ）高分子を提供する工程；
（ｉｉ）一般式（Ｉ）：
【化１】
2009506141.tif 000001
（式中、Ｎは保護基Ｐで保護された第１級アミノ基であって、保護基は第１級アミノ基の２つの自由原子価を包含し、；
ｍは１〜１２の整数であり、ｎは１〜２０００の整数であり；
Ｒ１およびＲ２は独立して水素およびＣ１−４−アルキルからなる群から選択され；および
Ｘはオキセタン−含有反応性基およびオキシラン−含有反応性基から選択される反応性基である。）
を有する化合物を提供する工程；および
（ｉｉｉ）一般式（Ｉ）の化合物を前記高分子と反応させて高分子にグラフトを形成する工程；
を包含する高分子を変性する方法。
【請求項２】
高分子がポリマーマトリックスである請求項１記載の方法。
【請求項３】
保護基｛Ｐ｝−Ｎがフルミド基である請求項１または２記載の方法。
【請求項４】
保護基｛Ｐ｝−Ｎがフタルイミド基であり、ｍが１であり、ｎが１〜１０である、請求項１〜３いずれかに記載の方法。
【請求項５】
（ｉ）高分子を提供する工程；
（ｉｉ）一般式（Ｉ）：
【化２】
2009506141.tif 000002
（式中、｛Ｐ｝−Ｎはフタルイミド基であり；
ｍは１で、ｎは１〜１００の整数であり；
Ｒ１およびＲ２は共に水素である。）
を有する化合物を提供する工程；および
（ｉｉｉ）一般式（Ｉ）の化合物を前記高分子と反応させて高分子にグラフトを形成する工程：
を包含する請求項１記載の方法。
【請求項６】
一般式（Ｉ）：
【化３】
2009506141.tif 000003
（式中、｛Ｐ｝−Ｎがフタルイミド基であり；ｍが１で、ｎが１〜１００の整数であり；
Ｒ１およびＲ２が共に水素であり；およびＸがオキセタン−含有反応性基またはオキシラン−含有反応性基である。）
で表わされる化合物。
【請求項７】
（ａ）フタルイミドＮ−保護α−ヒドロキシ−ω−アミノ−Ｃ２−１３アルカンを提供する工程；
（ｂ）該アルカンを触媒の存在下にエチレンオキシドと反応する工程；および
（ｃ）工程（ｂ）で得られた生成物の末端ＯＨ基を転化または官能化する工程、
を含有する一般式（Ｉ）：
【化４】
2009506141.tif 000004
（式中、｛Ｐ｝−Ｎはフタルイミド基であり、ｍは１〜１２の整数であり、ｎは１〜２０００の整数であり、Ｒ１およびＲ２は共に水素であり、Ｘはオキセタン−含有反応性基およびオキシラン−含有反応性基から選択される反応性基である。）
で表される化合物の調製方法。
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
少なくとも一つのウレイド官能基を含む少なくとも一種のアクリルモノマーBを含むモノマー混合物をエマルジョン重合させることによって得られた少なくとも一種のラテックスを含む水性分散液の、防水木材の表面処理における使用。
【請求項２】
前記モノマー混合物が、スチレンもしくはその誘導体、ブタジエン、クロロプレン、(メタ)アクリル酸エステル類、(メタ)アクリル酸類、無水マレイン酸、ビニルエステル類、ビニルニトリル類およびスルホン化モノマー類から選択される少なくとも一種のモノマーAを含むことを特徴とする請求項1に記載の使用。
【請求項３】
前記モノマーAが、メタクリル酸メチル、アクリル酸エチル、アクリル酸ブチル、アクリル酸2-エチルヘキシル、アクリル酸、メタクリル酸、酢酸ビニル、バーサティック酸ビニル、1-アリルオキシ-2-ヒドロキシプロピルスルホン酸ナトリウムもしくはカリウム(COPS)、アリルスルホン酸ナトリウムもしくはカリウム(MTAS)およびアクリルアミドメチルプロパンスルホン酸ナトリウムもしくはカリウム(AMPS)から選択されることを特徴とする請求項2に記載の使用。
【請求項４】
ウレイド官能基を含むアクリルモノマーBが、下記一般式Ｉf：
【化１】
2009506186.tif 000001
(式中、R4及びR5は、独立して、水素；1〜６個の炭素原子を含有する直鎖状もしくは分枝鎖状のアルキル基；5〜8個の炭素原子を含有するシクロアルキル基；または6〜12個の炭素原子を含有するアリール基もしくはアラルキル基を表し、
A及びA’は、独立して、2〜4個の炭素原子を含有するアルキレン基を表し、
Xは酸素原子または硫黄原子である)で表されることを特徴とする請求項1〜3のいずれか１項に記載の使用。
【請求項５】
少なくとも一つのウレイド官能基を含むアクリルモノマーBが、前記式Ｉf(式中、R4及びR5はそれぞれ水素およびメチル基を表し、そしてA及びA’は、独立して、エチレン、プロピレン、イソプロピレンまたはトリメチレン基を表す)で表されることを特徴とする請求項4に記載の使用。
【請求項６】
少なくとも一つのウレイド官能基を含むアクリルモノマーBが、下記式(Ig)：
【化２】
2009506186.tif 000002
で表されるメタクリルアミドエチルエチレン尿素であることを特徴とする請求項4に記載の使用。
【請求項７】
モノマーAが、全モノマー混合物の重量の60〜99重量%を占めることを特徴とする請求項2〜6のいずれか１項に記載の使用。
【請求項８】
a）モノマー混合物の全重量の60〜99重量％の少なくとも一種のモノマーAであって、スチレンとその誘導体；ブタジエン；クロロプレン；(メタ)アクリル酸エステル類；(メタ)アクリル酸類；無水マレイン酸；ビニルエステル類；またはビニルニトリル類およびスルホン化モノマー類から選択されるモノマーA、ならびに
b）モノマー混合物の全重量の0.1〜40重量%の少なくとも一種のモノマーBであって、ウレイド官能基を含む(メタ)アクリルモノマー類から選択される少なくとも一種のモノマーB、
を含むモノマー混合物をエマルジョン重合することによって得られた少なくとも一種のラテックスを含む水性分散液の、木材の表面処理における使用。
【請求項９】
少なくとも一つのウレイド官能基を含むモノマーBが、モノマー混合物の全重量の0.1〜40重量%を占めることを特徴とする請求項1〜8のいずれか１項に記載の使用。
【請求項１０】
前記ラテックスの最低被膜形成温度(MFFT)が、0〜80℃の範囲内であることを特徴とする請求項1〜9のいずれか１項に記載の使用。
【請求項１１】
前記ラテックスのガラス転移温度が、-20〜90℃の範囲内であることを特徴とする請求項1〜10のいずれか１項に記載の使用。
【請求項１２】
処理される木材が圧縮木材または天然原木であることを特徴とする請求項1〜11のいずれか１項に記載の使用。
【請求項１３】
前記原木が、ブナ、マツ、シポ、オーク、パラ-パラ(ジャカランダ)、ミランタイ、キュルピクサ、ユーカリプタスおよびタウアリから選択されることを特徴とする請求項12に記載の使用。
【請求項１４】
防水木材が、植物由来の合成脂肪質物質または動物由来の脂肪質物質を使って原木をバルク処理することによって得られることを特徴とする請求項12に記載の使用。
【請求項１５】
組成物が、可塑剤、シランおよび抗紫外線剤をさらに含んでいることを特徴とする請求項1〜14のいずれか１項に記載の使用。
【請求項１６】
ラテックス、可塑剤、シランおよび抗紫外線剤の混合物が、下記の重量比率：
ラテックス  89〜100%
可塑剤      0〜5%
シラン      0〜1%
抗紫外線剤  0〜5%
を有していることを特徴とする請求項15に記載の使用。
【請求項１７】
シランがγ-グリシドキシプロピルトリメトキシシランであることを特徴とする請求項15又は16に記載の使用。
【請求項１８】
請求項1〜17のいずれか１項に記載の水性分散液の使用により得られた防水木材。
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
実質的にアモルファスの７−クロロ−Ｎ，Ｎ，５−トリメチル−４−オキソ−３−フェニル−３，５−ジヒドロ−４Ｈ−ピリダジノ［４，５−ｂ］インドール−１−アセトアミドおよび安定化重合体を含む固体分散体。
【請求項２】
安定化重合体は、ヒドロキシプロピルメチルセルロースフタラート、セルロースアセタートフタラート、ヒドロキシプロピルメチルセルロースアセタートスクシナート、およびポリメタクリラートからなる群より選択される１種以上の重合体である、請求項１に記載の固体分散体。
【請求項３】
安定化重合体はヒドロキシプロピルメチルセルロースフタラートである、請求項２に記載の固体分散体。
【請求項４】
安定化重合体はセルロースアセタートフタラートである、請求項２に記載の固体分散体。
【請求項５】
安定化重合体はポリメタクリラートである、請求項２に記載の固体分散体。
【請求項６】
ポリメタクリラートはＥＵＤＲＡＧＩＴ（登録商標）Ｌ１００である、請求項５に記載の固体分散体。
【請求項７】
７−クロロ−Ｎ，Ｎ，５−トリメチル−４−オキソ−３−フェニル−３，５−ジヒドロ−４Ｈ−ピリダジノ［４，５−ｂ］インドール−１−アセトアミドは、安定化重合体の重量に対して、約０．１重量％〜約３０重量％の量で存在する、請求項１に記載の固体分散体。
【請求項８】
７−クロロ−Ｎ，Ｎ，５−トリメチル−４−オキソ−３−フェニル−３，５−ジヒドロ−４Ｈ−ピリダジノ［４，５−ｂ］インドール−１−アセトアミドは、安定化重合体の重量に対して、約１重量％〜約２５重量％の量で存在する、請求項７に記載の固体分散体。
【請求項９】
７−クロロ−Ｎ，Ｎ，５−トリメチル−４−オキソ−３−フェニル−３，５−ジヒドロ−４Ｈ−ピリダジノ［４，５−ｂ］インドール−１−アセトアミドは、安定化重合体の重量に対して、約５％重量％〜約２０重量％の量で存在する、請求項８に記載の固体分散体。
【請求項１０】
安定化重合体はヒドロキシプロピルメチルセルロースフタラートである、請求項９に記載の固体分散体。
【請求項１１】
７−クロロ−Ｎ，Ｎ，５−トリメチル−４−オキソ−３−フェニル−３，５−ジヒドロ−４Ｈ−ピリダジノ［４，５−ｂ］インドール−１−アセトアミドの少なくとも８０％はアモルファス形にある、請求項１に記載の固体分散体。
【請求項１２】
７−クロロ−Ｎ，Ｎ，５−トリメチル−４−オキソ−３−フェニル−３，５−ジヒドロ−４Ｈ−ピリダジノ［４，５−ｂ］インドール−１−アセトアミドの少なくとも９０％はアモルファス形にある、請求項１１に記載の固体分散体。
【請求項１３】
７−クロロ−Ｎ，Ｎ，５−トリメチル−４−オキソ−３−フェニル−３，５−ジヒドロ−４Ｈ−ピリダジノ［４，５−ｂ］インドール−１−アセトアミドの少なくとも９５％はアモルファス形態である、請求項１２に記載の固体分散体。
【請求項１４】
請求項１に記載の固体分散体と、１種以上の医薬的に許容される賦形剤とを含む、薬学的組成物。
【請求項１５】
請求項１０に記載の固体分散体と、１種以上の医薬的に許容される賦形剤とを含む、薬学的組成物。
【請求項１６】
末梢型ベンゾジアゼピン受容体の機能不全に関連した疾患または障害を治療または予防するための、請求項１４に記載の薬学的組成物。
【請求項１７】
神経変性疾患を治療または予防するための、請求項１４に記載の薬学的組成物。
【請求項１８】
神経障害を治療または予防するための、請求項１４に記載の薬学的組成物。
【請求項１９】
癌または腫瘍を治療または予防するための、請求項１４に記載の薬学的組成物。
【請求項２０】
皮膚ストレスを治療または予防するための、請求項１４に記載の薬学的組成物。
【請求項２１】
関節リウマチを治療または予防するための、請求項１４に記載の薬学的組成物。
【請求項２２】
心疾患または心障害を治療または予防するための、請求項１４に記載の薬学的組成物。
【請求項２３】
ａ）７−クロロ−Ｎ，Ｎ，５−トリメチル−４−オキソ−３−フェニル−３，５−ジヒドロ−４Ｈ−ピリダジノ［４，５−ｂ］インドール−１−アセトアミドおよび安定化重合体を好適な溶媒に溶解させて供給液を形成する工程、
ｂ）前記供給液をアトマイザーを通して噴霧する工程、および
ｃ）前記溶媒を除去して固体分散体を形成する工程、
を含む、請求項１に記載の固体分散体の調製方法。
【請求項２４】
好適な溶媒が、ジクロロメタン、クロロホルム、エタノール、メタノール、２−プロパノール、酢酸エチル、アセトン、および水からなる群より選択される１種以上の溶媒である、請求項２３に記載の方法。
【請求項２５】
安定化重合体が、ヒドロキシプロピルメチルセルロースフタラート、セルロースアセタートフタラート、ヒドロキシプロピルメチルセルロースアセタートスクシナート、およびポリメタクリラートからなる群より選択される、請求項２３に記載の方法。
【請求項２６】
安定化重合体がヒドロキシプロピルメチルセルロースフタラートであり、好適な溶媒がジクロロメタンとエタノールの体積で５０：５０混合物である、請求項２３に記載の方法。
【手続補正書】
【提出日】平成21年8月21日(2009.8.21)
【手続補正１】
【補正対象書類名】特許請求の範囲
【補正対象項目名】請求項３２
【補正方法】変更
【補正の内容】
【請求項３２】
請求項1、9、14、18、20、24、もしくは29記載の化合物、又はそれらの医薬として許容し得る塩、溶媒和物、もしくは立体異性体を含む、疾患又は障害を治療又は予防するための医薬組成物であって、該疾患又は障害が、癌、血管新生に関連した障害、疼痛、黄斑変性又は関連症候群、皮膚疾患、肺障害、アスベスト-関連障害、寄生生物症、免疫不全症、CNS障害、CNS損傷、アテローム硬化症又は関連障害、睡眠機能障害又は関連障害、異常血色素症又は関連障害、又はTNFα関連障害である、前記医薬組成物。
【手続補正２】
【補正対象書類名】特許請求の範囲
【補正対象項目名】請求項３３
【補正方法】変更
【補正の内容】
【請求項３３】
1種以上の追加の活性物質を更に含む、請求項32記載の医薬組成物。
【手続補正３】
【補正対象書類名】特許請求の範囲
【補正対象項目名】請求項３４
【補正方法】変更
【補正の内容】
【請求項３４】
経口又は非経口投与用の請求項32記載の医薬組成物。
【手続補正書】
【提出日】平成21年8月11日(2009.8.11)
【手続補正１】
【補正対象書類名】特許請求の範囲
【補正対象項目名】全文
【補正方法】変更
【補正の内容】
【特許請求の範囲】
【請求項１】
Ｃ９芳香族化合物を含む供給材料を、当該供給材料をキシレン異性体含有生成物に転化させるのに好適な条件下において非硫化触媒と接触させることを含み、
当該触媒は、水素化成分が含侵されている担体を含み、当該担体はマクロ多孔性バインダー及び大孔径シーブを含む、キシレン異性体の製造方法。
【請求項２】
前記大孔径シーブは、大孔径ゼオライト、大孔径アルミノホスフェート、大孔径シリコアルミノホスフェート及びこれらの混合物からなる群から選択される、請求項１に記載の方法。
【請求項３】
前記大孔径ゼオライトは、モルデナイト、β−ゼオライト、Ｙ−ゼオライト、及びこれらの混合物からなる群から選択される、請求項２に記載の方法。
【請求項４】
Ｃ６〜Ｃ８芳香族化合物を含み且つＣ９＋芳香族化合物を実質的に含まない供給材料を、当該供給材料をキシレン異性体含有生成物に転化させるのに好適な条件下において非硫化触媒と接触させることを含み、当該触媒は水素化成分が含侵されている担体を含み、当該担体はマクロ多孔性バインダー、並びに、中孔径シーブ、大孔径シーブ、及びこれらの混合物からなる群から選択されるシーブを含む、キシレン異性体の製造方法。
【請求項５】
前記中孔径シーブは、中孔径ゼオライト、中孔径アルミノホスフェート、中孔径シリコアルミノホスフェート、及びこれらの混合物からなる群から選択される、請求項４に記載の方法。
【請求項６】
前記中孔径ゼオライトは、アルミノホスフェート−１１（ＡＥＬ）、エジンバラ大学−１（ＥＵＯ）、フェリエライト（ＦＥＲ）、モービル−１１（ＭＥＬ）、モービル−５７（ＭＦＳ）、モービル−５（ＭＦＩ）、モービル−２３（ＭＴＴ）、新−８７（ＮＥＳ）、θ−１（ＴＯＮ）、及びこれらの混合物からなる群から選択される、請求項５に記載の方法。
【請求項７】
触媒は、１グラムあたり０．０２ｃｍ３（ｃｃ／ｇ）〜０．５ｃｃ／ｇのマクロ細孔容積を有する、請求項１又は４に記載の方法。
【請求項８】
水素化成分は金属又はその酸化物であり、当該金属は第ＶＩＢ族金属、第ＶＩＩＢ族金属、第ＶＩＩＩ族金属、及びこれらの組み合わせからなる群から選択される、請求項１又は４に記載の方法。
【請求項９】
水素化成分は酸化モリブデンである、請求項８に記載の方法。
【請求項１０】
前記マクロ多孔性バインダーは、アルミナ、リン酸アルミニウム、クレー、シリカ−アルミナ、シリカ、シリケート、チタニア、ジルコニア、及びこれらの混合物からなる群から選択される、請求項１又は４に記載の方法。
【請求項１１】
生成物からキシレン異性体の少なくとも一部を分離して、キシレン異性体に乏しい生成物の一部を供給材料に再循環することを更に含む、請求項１又は４に記載の方法。
【手続補正２】
【補正対象書類名】明細書
【補正対象項目名】００７５
【補正方法】変更
【補正の内容】
【００７５】
好適な第ＶＩＩＢ族金属化合物の例としては、例えば、（ＮＨ４）ＲｅＯ４、Ｒｅ２Ｏ７、ＲｅＯ２、ＲｅＣｌ３、ＲｅＣｌ５、Ｒｅ（ＣＯ）５Ｃｌ、Ｒｅ（ＣＯ）５Ｂｒ、Ｒｅ２（ＣＯ）１０、及びこれらの組み合わせのようなレニウム含有金属化合物が挙げられるが、これらに限定されない。好適な第ＶＩＩＩ族金属化合物の例としては、ニッケル−、パラジウム−、及び白金−含有化合物が挙げられるが、これらに限定されない。ニッケル含有金属化合物の例としては、塩化ニッケル、臭化ニッケル、硝酸ニッケル、及び水酸化ニッケルが挙げられるが、これらに限定されない。パラジウム含有金属化合物の例としては、塩化パラジウム、硝酸パラジウム、酢酸パラジウム、及び水酸化パラジウムが挙げられるが、これらに限定されない。白金含有金属化合物の例としては、クロロ白金酸（Ｈ２ＰｔＣｌ６・ｘＨ２Ｏ）、ヘキサクロロ白金（ＩＶ）酸、白金（ＩＩ）又は（ＩＶ）クロリド（塩化第２白金）、白金（ＩＩ）又は（ＩＶ）ブロミド、白金（ＩＩ）ヨーダイド、シス−又はトランス−ジアミン白金（ＩＩ）クロリド、シス−又はトランス−ジアミン白金（ＩＶ）クロリド、ジアミン白金（ＩＩ）ナイトライト、（エチレンジアミン）白金（ＩＩ）クロリド、テトラアミン白金（ＩＩ）クロリド又はクロリドハイドレート（Ｐｔ（ＮＨ３）４Ｃｌ２・Ｈ２Ｏ又はＰｔ（ＮＨ３）４Ｃｌ２）、テトラアミン白金（ＩＩ）ナイトレート、（エチレンジアミン）白金（ＩＩ）クロリド、テトラアミン白金（ＩＩ）ナイトレート（Ｐｔ（ＮＨ３）４（ＮＯ３）２）、テトラキス（トリフェニルホスフィン）白金（０）、シス−又はトランス−ビス（トリエチルホスフィン）白金（ＩＩ）クロリド、シス−又はトランス−ビス（トリエチルホスフィン）白金（ＩＩ）オキザレート、シス−ビス（トリフェニルホスフィン）白金（ＩＩ）クロリド、ビス（トリフェニルホスフィン）白金（ＩＶ）オキシド、（２，２’−６’，２”−ターピリジン）白金（ＩＩ）クロリドジハイドレート、シス−ビス（アセトニトリル）白金ジクロリド、シス−ビス（ベンゾニトリル）白金ジクロリド、白金（ＩＩ）アセチルアセトネート、（１ｃ、５ｃ−シクロオクタジエン）白金（ＩＩ）クロリド又はブロミド、白金ニトロシルナイトレート、及びテトラクロロジアミン白金（ＩＶ）が挙げられるが、これらに限定されない。用いることのできる他の第ＶＩＩＩ族金属化合物としては、コバルト−、ロジウム−、イリジウム−、及びルテニウム−含有化合物が挙げられる。
【手続補正３】
【補正対象書類名】明細書
【補正対象項目名】０１４１
【補正方法】変更
【補正の内容】
【０１４１】
上記のデータに基づくと、マクロ細孔容積を有していない触媒である触媒「Ｈ」は、マクロ細孔容積を含む触媒「Ｉ」を用いて達成されたトルエン転化率（それぞれの日において一貫して約４４％）と比較して、低いトルエン転化率（１日目は２９％、２日目は２４％）を有していた。更に、触媒「Ｉ」は安定な特性を与え（即ち活性の損失なし）、一方、触媒「Ｈ」は均一に安定な特性を与えず、１〜２日でトルエン転化率が５％減少したことが観察された。したがって、上記の実施例によって、マクロ細孔容積を含む触媒は、マクロ細孔容積に欠ける触媒よりもより安定であることが示される。
【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
次式
【化１】
2009506113.tif 000001
［式中、
Ｒは、１〜２０個の炭素原子からなる脂肪族の直鎖または分岐鎖の基であるか、またはＲは式（ＣＨＲ1ＣＨＹＸ）nＨで示される極性のエステル化基（ここにＸはＯまたはＳであり；Ｙは、Ｈ、−ＯＨ、−ＣＯＯＨ、ＣＯＮＨ2、ＳＯ3ＨおよびＰＯ3Ｈ2からなる群から選択され、ｎは１〜１０の整数である）であるか、またはＲは、
（ｉ）次式で示されるアシルスルホンアミド基
【化２】
2009506113.tif 000002
（ｉｉ）次式で示されるスルホンアミド基
【化３】
2009506113.tif 000003
および
（ｉｉｉ）
【化４】
2009506113.tif 000004
からなる群から選択され、
Ｒ1は、水素および１〜２０個の炭素原子からなるアルキル基からなる群から選択される］
で示される化合物またはその製薬的に許容し得る塩。
【請求項２】
Ｒが直鎖または分岐鎖の１〜２０の炭素原子からなるアルキル基である、請求項１記載の化合物。
【請求項３】
Ｒがイソプロピルまたはイソブチルである、請求項２記載の化合物。
【請求項４】
Ｒが、式（ＣＨＲ1ＣＹＨＸ）nＨ（ここに、ＸはＯまたはＳであり、Ｙは、Ｈ、−ＯＨ、−ＣＯＨ、−ＣＯＮＨ2、ＳＯ3ＨおよびＰＯ3Ｈ2からなる群から選択され、ｎは１〜１０の整数である）で示される極性のエステル化基である、請求項１記載の化合物。
【請求項５】
ＸがＯであり、Ｙが水素であり、Ｒ1がＨである、請求項４記載の化合物。
【請求項６】
高眼圧を処置するための医薬組成物であって、治療的に有効量の、式
【化５】
2009506113.tif 000005
［式中、
Ｒは、水素、または１〜２０個の炭素原子からなる脂肪族の直鎖または分岐鎖の基であるか、またはＲは式（ＣＨＲ1ＣＨＹＸ）nＨで示される極性のエステル化基（ここにＸはＯまたはＳであり；Ｙは、Ｈ、−ＯＨ、−ＣＯＯＨ、ＣＯＮＨ2、ＳＯ3ＨおよびＰＯ3Ｈ2からなる群から選択され、ｎは１〜１０の整数である）であるか、またはＲは、
（ｉ）次式で示されるアシルスルホンアミド基
【化６】
2009506113.tif 000006
（ｉｉ）次式で示されるスルホンアミド基
【化７】
2009506113.tif 000007
および
（ｉｉｉ）
【化８】
2009506113.tif 000008
からなる群から選択され、
Ｒ1は、水素および１〜２０個の炭素原子からなるアルキル基からなる群から選択される］
で示される化合物またはその製薬的に許容し得る塩を含有する医薬組成物。
【請求項７】
Ｒが直鎖または分岐鎖の１〜２０の炭素原子からなるアルキル基である、請求項６記載の医薬組成物。
【請求項８】
Ｒがイソプロピルまたはイソブチルからなる群から選択される、請求項７記載の医薬組成物。
【請求項９】
Ｒが、式（ＣＨＲ1ＣＹＨＸ）nＨ（ここに、ＸはＯまたはＳであり、Ｙは、Ｈ、−ＯＨ、−ＣＯＨ、−ＣＯＮＨ2、ＳＯ3ＨおよびＰＯ3Ｈ2からなる群から選択され、ｎは１〜１０の整数である）で示される極性のエステル化基である、請求項６記載の医薬組成物。
【請求項１０】
Ｙが水素であり、ＸがＯであり、Ｒ1がＨである、請求項９記載の医薬組成物。
【請求項１１】
哺乳類の眼に対して神経保護をもたらすための医薬組成物であって、治療的に有効量の、式
【化９】
2009506113.tif 000009
［式中、
Ｒは、水素、または１〜２０個の炭素原子からなる脂肪族の直鎖または分岐鎖の基であるか、またはＲは式（ＣＨＲ1ＣＨＹＸ）nＨで示される極性のエステル化基（ここにＸはＯまたはＳであり；Ｙは、Ｈ、−ＯＨ、−ＣＯＯＨ、ＣＯＮＨ2、ＳＯ3ＨおよびＰＯ3Ｈ2からなる群から選択され、ｎは１〜１０の整数である）であるか、またはＲは、
（ｉ）次式で示されるアシルスルホンアミド基
【化１０】
2009506113.tif 000010
（ｉｉ）次式で示されるスルホンアミド基
【化１１】
2009506113.tif 000011
および
（ｉｉｉ）
【化１２】
2009506113.tif 000012
からなる群から選択され、
Ｒ1は、水素および１〜２０個の炭素原子からなるアルキル基からなる群から選択される］
で示される化合物またはその製薬的に許容し得る塩を含有する医薬組成物。
【請求項１２】
Ｒが直鎖または分岐鎖の１〜２０の炭素原子からなるアルキル基である、請求項１１記載の医薬組成物。
【請求項１３】
Ｒがイソプロピルまたはイソブチルである、請求項１２記載の医薬組成物。
【請求項１４】
Ｒが、式（ＣＨＲ1ＣＹＨＸ）nＨ（ここに、ＸはＯまたはＳであり、Ｙは、Ｈ、−ＯＨ、−ＣＯＨ、−ＣＯＮＨ2、ＳＯ3ＨおよびＰＯ3Ｈ2からなる群から選択され、ｎは１〜１０の整数である）で示される極性のエステル化基である、請求項１１記載の医薬組成物。
【請求項１５】
ＸがＯであり、Ｙが水素であり、Ｒ1がＨである、請求項４記載の化合物。
【請求項１６】
治療的に有効量のＥＰ２−レセプターアゴニスト活性を有するＮ，Ｎ’−ジベンジルピリジルスルホンアミドを投与することを含んでなる、高眼圧を処置するための医薬組成物。
【請求項１７】
治療的に有効量のＥＰ２−レセプターアゴニスト活性を有するＮ，Ｎ’−ジベンジルピリジルスルホンアミドを投与することを含んでなる、哺乳類の眼に対して神経保護をもたらすための医薬組成物。
【手続補正書】
【提出日】平成21年3月27日(2009.3.27)
【手続補正１】
【補正対象書類名】特許請求の範囲
【補正対象項目名】請求項９
【補正方法】変更
【補正の内容】
【請求項９】
前記塩基が、アルカリ金属水酸化物及びアルカリ土類金属水酸化物、アルカリ金属酸化物及びアルカリ土類金属酸化物、アルカリ金属水素化物及びアルカリ土類金属水素化物、アルカリ金属アミド、アルカリ金属炭酸塩及びアルカリ土類金属炭酸塩、アルカリ金属炭酸水素塩、塩基性金属オキシドヒドロキシド、有機金属化合物、ハロゲン化アルキルマグネシウム、アルカリ金属アルコキシド及びアルカリ土類金属アルコキシド、並びに、Ｍａ（ＣＯ３）ｃ、ＭａＨｂ（ＣＯ３）ｃ、Ｍａ（ＰＯ４）ｃ、ＭａＨｂ（ＰＯ４）ｃ及びＭ（ＯＨ）ｃ（式中、Ｍはアルカリ金属またはアルカリ土類金属であり、ａは約１〜約２の整数であり、ｂ及びｃは、独立に、０〜約２の整数である）からなる群から選択される組成を有する塩基、からなる群から選択される、請求項３に記載の方法。
【手続補正２】
【補正対象書類名】明細書
【補正対象項目名】００３７
【補正方法】変更
【補正の内容】
【００３７】
アルカリ、アルカリ土類または金属イオンは、互いに独立して選択されることができるが、いくらかの適用では、一つのイオンタイプのみの場合に精製がより容易であろう。
一般に、適した塩基は無機化合物であり、それは水酸化リチウム、水酸化ナトリウム、水酸化カリウム及び水酸化カルシウム等のアルカリ金属水酸化物及びアルカリ土類金属水酸化物、酸化リチウム、酸化ナトリウム、酸化カルシウム及び酸化マグネシウム等のアルカリ金属酸化物及びアルカリ土類金属酸化物、水素化リチウム、水素化ナトリウム、水素化カリウム及び水素化カルシウム等のアルカリ金属水素化物及びアルカリ土類金属水素化物、リチウムアミド、ナトリウムアミド及びカリウムアミド等のアルカリ金属アミド、炭酸リチウム及び炭酸カルシウム等のアルカリ金属炭酸塩及びアルカリ土類金属炭酸塩、炭酸水素ナトリウム等のアルカリ金属炭酸水素塩、水酸化金属アルミニウム、塩基性酸化亜鉛、塩基性酸化スズ、塩基性酸化ジルコニウム及びチタンオキシドヒドロキシド等の塩基性金属オキシドヒドロキシド、有機金属化合物（特に、メチルリチウム、ブチルリチウム及びフェニルリチウム等のアルカリ金属アルキル）、塩化メチルマグネシウム等のハロゲン化アルキルマグネシウム、並びに、ナトリウムメトキシド、ナトリウムエトキシド、カリウムエトキシド、カリウムｔｅｒｔ−ブトキシド及びジメトキシマグネシウム等のアルカリ金属アルコキシド及びアルカリ土類金属アルコキシド、を包含する。
【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
動物における血清コレステロールレベルまたは血清トリグリセリドレベルを低下させるのに用いるかあるいは血清コレステロールレベルまたは血清トリグリセリドレベルの上昇を阻害するのに用いる、ｍｉＲ−１２２ａ核酸に対し少なくとも９０％の配列相補性からなるところの、アンチセンス化合物。
【請求項２】
動物における血清コレステロールレベルまたは血清トリグリセリドレベルを低下させるのに用いるためのあるいは血清コレステロールレベルまたは血清トリグリセリドレベルの上昇を阻害するのに用いるための、医薬の調製のためのｍｉＲ−１２２核酸に対し少なくとも９０％の配列相補性からなるところの、アンチセンス化合物の使用。
【請求項３】
血清コレステロールがＬＤＬ−コレステロールであるところの、請求項１記載の化合物または請求項２記載の使用。
【請求項４】
血清コレステロールが血清総コレステロールであるところの、請求項１記載の化合物または請求項２記載の使用。
【請求項５】
代謝性疾患または心血管疾患の治療に用いる、ｍｉＲ−１２２ａ核酸に対し少なくとも９０％の配列相補性からなるところの、アンチセンス化合物。
【請求項６】
代謝性疾患または心血管疾患を治療するための医薬の調製におけるｍｉＲ−１２２ａ核酸に対し少なくとも９０％の配列相補性からなるところの、アンチセンス化合物の使用。
【請求項７】
疾患が、糖尿病、肥満、脂質異常症、高コレステロール血症、高トリグリセリド血症、または高脂肪酸血症であるところの、請求項５記載のアンチセンス化合物または請求項６記載の使用。
【請求項８】
アンチセンス化合物が、１５〜３０ヌクレオシド長であるか、アンチセンス化合物が、１７−２５ヌクレオシド長であるか、またはアンチセンス化合物が、２１〜２３ヌクレオチド長であるところの、請求項１〜７のいずれか一項記載のアンチセンス化合物または使用。
【請求項９】
アンチセンス化合物が、ｍｉＲ−１２２ａ標的核酸と完全に相補的であるところの、請求項８記載のアンチセンス化合物または使用。
【請求項１０】
アンチセンス化合物が、複数の２’−糖修飾ヌクレオシドを含むところの、請求項８または９記載のアンチセンス化合物または使用。
【請求項１１】
アンチセンス化合物が、少なくとも１個の二環式糖修飾ヌクレオシドをさらに含むところの、請求項８〜１０のいずれか一項記載のアンチセンス化合物または使用。
【請求項１２】
アンチセンス化合物が、配列番号：１記載の核酸塩基配列を含むところの、請求項８〜１１のいずれか一項記載のアンチセンス化合物または使用。
【請求項１３】
アンチセンス化合物が、配列番号：１記載の核酸塩基配列からなるか、または配列番号：２記載の核酸塩基配列からなるところの、請求項８〜１２のいずれか一項記載のアンチセンス化合物または使用。
【請求項１４】
アンチセンス化合物が、２’−ＭＯＥ糖修飾ヌクレオシドを均一に含むところの、請求項８〜１３のいずれか一項記載のアンチセンス化合物または使用。
【請求項１５】
アンチセンス化合物が、少なくとも１つのホスホロチオエート・ヌクレオシド内結合を含むところの、請求項８〜１４のいずれか一項記載のアンチセンス化合物または使用。
【請求項１６】
アンチセンス化合物が、少なくとも１個の５−メチルシトシンを含むところの、請求項８〜１５のいずれか一項記載のアンチセンス化合物または使用。
【請求項１７】
各ヌクレオシドが、２’−Ｏ−メトキシエチルヌクレオシドであり、各結合が、ホスホロチオエート結合であり、各シトシンが５−メチルシトシンであるところの、請求項１２または１３に記載のアンチセンス化合物または使用。
【請求項１８】
ｍｉＲ−１２２ａ核酸が成熟ｍｉＲ−１２２ａであるところの、前記請求項のいずれか一項記載のアンチセンス化合物または使用。
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
細胞によるDタイプオリゴデオキシヌクレオチドの取り込みの変化に使用するための、CXCL16の発現または活性を変化させる薬剤を含む組成物であって、
式中、中央のCpGモチーフがメチル化されておらず、RがAまたはG (プリン)であり、YがCまたはT (ピリミジン)である、式：
5' RY-CpG-RY 3'
によって示される配列を該Dオリゴデオキシヌクレオチドが有し、かつ
該オリゴデオキシヌクレオチドが少なくとも約18〜約50ヌクレオチドの長さである、組成物。
【請求項２】
Dオリゴデオキシヌクレオチドが、
中央のCpGモチーフがメチル化されておらず、Puがプリンヌクレオチドであり、Pyがピリミジンヌクレオチドであり、XおよびWが任意のヌクレオチドであり、Mが0〜10の任意の整数であり、Nが4〜10の任意の整数である、配列
2009506122.tif 000001
を有する、請求項1記載の組成物。
【請求項３】
薬剤がCXCL16の発現または活性を増大させ、かつ薬剤がADAM-10のアンタゴニストである、請求項1記載の組成物。
【請求項４】
ADAM-10のアンタゴニストがGW280264X、G1254023XまたはGM6001である、請求項3記載の組成物。
【請求項５】
薬剤がCXCL16の発現または活性を増大させ、かつ薬剤がインターフェロンγ、腫瘍壊死因子αまたはそれらの組み合わせである、請求項1記載の組成物。
【請求項６】
薬剤がCXCL16の発現または活性を低下させ、かつ薬剤がCXCL16に特異的に結合する抗体である、請求項1記載の組成物。
【請求項７】
薬剤が、CXCL16の発現または活性を低下させ、かつCXCL16の発現または活性を低下させる薬剤が、ADAM-10の活性を増大させる薬剤である、請求項1記載の組成物。
【請求項８】
ADAM-10の活性を増大させる薬剤がイオノマイシンである、請求項7記載の組成物。
【請求項９】
薬学的組成物が、Dタイプオリゴデオキシヌクレオチドの治療有効量ならびにCXCL16の発現および／または活性を増大させる薬剤の治療有効量を薬学的に許容される担体中にさらに含み、
該Dオリゴデオキシヌクレオチドが18〜50ヌクレオチドの長さであり、かつ式中、中央のCpGモチーフがメチル化されておらず、RがAまたはG (プリン)であり、YがCまたはT (ピリミジン)である、式：
5' RY-CpG-RY 3'
によって示される配列を該Dオリゴデオキシヌクレオチドが有する、
請求項1〜8のいずれか一項記載の薬学的組成物。
【請求項１０】
Dタイプオリゴデオキシヌクレオチドが約18〜約50ヌクレオチドの長さであり、かつ、式中、中央のCpGモチーフがメチル化されておらず、RがAまたはG (プリン)であり、YがCまたはT (ピリミジン)である、式：
5' RY-CpG-RY 3'
によって示される配列を該Dタイプオリゴデオキシヌクレオチドが有する、
免疫応答を誘発する医薬の製造のための該Dタイプオリゴデオキシヌクレオチドの治療有効量ならびにCXCL16の発現および／または活性を増大させる薬剤の治療有効量の使用。
【請求項１１】
薬剤がADAM-10のアンタゴニストである、請求項10記載の使用。
【請求項１２】
ADAM-10のアンタゴニストがGW280264X、G1254023XまたはGM6001である、請求項10記載の使用。
【請求項１３】
Dオリゴデオキシヌクレオチドが、
中央のCpGモチーフがメチル化されておらず、Puがプリンヌクレオチドであり、Pyがピリミジンヌクレオチドであり、XおよびWが任意のヌクレオチドであり、Mが0〜10の任意の整数であり、Nが4〜10の任意の整数である、配列
2009506122.tif 000002
を有する、請求項10載の使用。
【請求項１４】
インビトロで細胞を対象の薬剤と接触させることと、
CXCL16の活性の発現を評価することとを含む、
DタイプODNによって誘発される免疫応答を変化させる薬剤を同定する方法であって、
対照に比較した場合のCXCL16の活性の発現の変化が、薬剤が該DタイプODNに対する免疫応答を変化させることを示し、該DタイプODNが18〜50ヌクレオチドの長さであり、かつ、式中、中央のCpGモチーフがメチル化されておらず、RがAまたはG (プリン)であり、YがCまたはT (ピリミジン)である、式：
5' RY-CpG-RY 3'
によって示される配列を該DタイプODNが有する、方法。
【請求項１５】
免疫応答を増大させる薬剤を同定する方法であって、
対照に比較した場合のCXCL16の活性の増大が、薬剤がDタイプODNに対する免疫応答を増大させることを示す、請求項14記載の方法。
【請求項１６】
免疫応答を低下させる薬剤を同定する方法であって、
対照に比較した場合のCXCL16の活性の低下が、薬剤がDタイプODNに対する免疫応答を低下させることを示す、請求項14記載の方法。
【請求項１７】
Dオリゴデオキシヌクレオチドが、
中央のCpGモチーフがメチル化されておらず、Puがプリンヌクレオチドであり、Pyがピリミジンヌクレオチドであり、XおよびWが任意のヌクレオチドであり、Mが0〜10の任意の整数であり、Nが4〜10の任意の整数である、配列
2009506122.tif 000003
を有する、請求項14〜16のいずれか一項記載の方法。
【手続補正書】
【提出日】平成21年8月18日(2009.8.18)
【手続補正１】
【補正対象書類名】特許請求の範囲
【補正対象項目名】全文
【補正方法】変更
【補正の内容】
【特許請求の範囲】
【請求項１】
接着層と、
前記接着層の第一主表面上の構造化表面であって、溝部のいずれかの縁部上の接着剤表面により画定された基準平面から前記接着層の中へ凹んだ、第一溝部及び第二溝部を備える構造化表面と
を含んでなる物品であって、
前記第二溝部が前記第一溝部内に含まれ、前記第一溝部及び前記第二溝部が壁を有し、前記基準平面に対する前記第一溝部の壁角度が、ゼロではなくかつ前記基準平面に対する前記第二溝部の壁角度よりも小さい、物品。
【請求項２】
前記第二溝部の実在する壁が、前記第一溝部の実在する壁と交差する、請求項１に記載の物品。
【請求項３】
前記接着剤表面からの突出部を備える、請求項１に記載の物品。
【請求項４】
接着層と、
前記接着層の第一主表面上の構造化表面であって、溝部のいずれかの縁部上の接着剤表面により画定された基準平面から前記接着層の中へ凹んだ、第一溝部及び第二溝部を備える構造化表面と
を含んでなる物品であって、
前記第一溝部及び前記第二溝部が、それぞれ前記基準平面とある角度で交わる実質的に対称な壁を有し、前記第一溝部の壁角度が前記第二溝部の壁角度より小さい、物品。
【請求項５】
接着剤を基材に接着する方法であって、
接着層の第一主表面を基材に接触させて配置することを含み、
前記接着層が前記第一主表面上に構造化表面を備え、前記構造化表面が、溝部のいずれかの縁部上の前記接着剤表面により画定された基準平面から前記接着層の中へ凹んだ、第一溝部及び第二溝部を備え、かつ、前記基準平面に対する前記第一溝部の壁角度が前記基準平面に対する前記第二溝部の壁角度より小さく、
前記第二溝部の実在する壁の主部が前記基材に接触せずに、前記第一溝部の実在する壁の主部が前記基材に接触するように、前記接着剤が変形する、方法。
【請求項６】
剥離ライナーの第一主表面上の構造化表面であって、前記剥離ライナーの隆起部の底部における前記ライナー表面により画定されたライナー基準平面から突出した、第一隆起部及び第二隆起部を備える構造化表面
を含んでなる剥離ライナーであって、
前記第二隆起部が前記第一隆起部内に含まれ、前記第一隆起部及び前記第二隆起部が壁を有し、前記ライナー基準平面に対する前記第一隆起部の壁角度が、ゼロではなくかつ前記ライナー基準平面に対する前記第二隆起部の壁角度より小さい、剥離ライナー。
【請求項７】
剥離ライナーの第一主表面上の構造化表面であって、前記剥離ライナーの隆起部の底部における前記ライナー表面により画定されたライナー基準平面から突出した、第一隆起部及び第二隆起部を備える構造化表面
を含んでなる剥離ライナーであって、
前記第一隆起部及び前記第二隆起部が、前記ライナー基準平面とある角度で交わる実質的に対称な壁を有し、前記第一隆起部の壁角度が前記第二隆起部の壁角度よりも小さい、剥離ライナー。
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
以下を順に含む、フルオロエラストマー組成物の製造方法：
（ａ）第１組成物及び第２組成物の反応生成物を提供する工程であって、前記第１組成物は式Ｉによって表される第１構成成分を含み：
【化１】
2009506167.tif 000001
（式中、Ｑ+は非妨害性有機ホスホニウム、有機スルホニウム、若しくは有機アンモニウムカチオンであり；
各Ｒは独立してＨ、ハロゲン、ヒドロカルビル基、若しくはハロゲン化ヒドロカルビル基を表し、ここで、前記ヒドロカルビル基の少なくとも１つの炭素原子はＮ、Ｏ、及びＳから選択される１以上のへテロ原子で更に置換されていてもよく；
Ｒ’は、Ｈ、ヒドロカルビル基、若しくはハロゲン化ヒドロカルビル基を表し、ここで、前記ヒドロカルビル基の少なくとも１つの炭素原子はＮ、Ｏ、及びＳから選択される１以上のへテロ原子で更に置換されていてもよく；
又は、Ｒ及びＲ’のうちのいずれか２つが共に二価のヒドロカルビレン基を形成していてもよく、ここで前記ヒドロカルビレン基の少なくとも１つの炭素原子はＮ、Ｏ、及びＳから選択される１以上のへテロ原子によって更に置換されていてもよい。）；かつ
前記第２組成物は、式ＩＩによって表される第２構成成分を含む：
【化２】
2009506167.tif 000002
（式中、各Ｒ”は独立してＦ若しくはＣＦ3を表し；
ｂはいずれかの正の整数を表し；
Ｚは妨害基を含まないｂ価の有機部分を表す。）工程；
（ｂ）工程（ａ）からの反応生成物を、フルオロポリマーを含む少なくとも１つの構成成分と組み合わせて硬化可能な組成物を形成する工程であって、前記フルオロポリマーは、窒素含有硬化部位を有する少なくとも１つの共重合モノマー単位を含む工程；及び
（ｃ）前記硬化可能な組成物を少なくとも部分的に硬化してフルオロエラストマーを形成する工程。
【手続補正書】
【提出日】平成21年8月14日(2009.8.14)
【手続補正１】
【補正対象書類名】特許請求の範囲
【補正対象項目名】全文
【補正方法】変更
【補正の内容】
【特許請求の範囲】
【請求項１】
潤滑方法であって、
（ａ）第１機能液を使用するステップであって、該第１機能液が、潤滑粘度の油、自動車用および／または工業用を含むギヤオイル、マニュアルトランスミッションオイル、オートマチックトランスミッションオイル、作動液、エンジンオイル、ツーサイクルオイル、金属加工液、および軸液からなる群から選択される第１機能液を使用するステップと、
（ｂ）該第１機能液を送達システムと接触させるステップであって、該送達システムが、放出されて所望の特性を機械デバイスを潤滑するための該第１機能液に付与する所望の添加剤を有する、ステップと、
（ｃ）該所望の添加剤を該送達システムから該第１機能液に放出することにより、該第１機能液が、ギヤオイル、マニュアルトランスミッションオイル、オートマチックトランスミッションオイル、作動液、エンジンオイル、ツーサイクルオイル、金属加工液、および軸液からなる群から選択される第２機能液に変化するステップであって、ただし該第２機能液が該第１機能液と異なる、ステップと、
を含む、方法。
【請求項２】
前記送達システムが、液体、固体、放出制御添加剤ゲル、カプセル剤（例えば、メラミンまたは尿素ホルムアルデヒドマイクロカプセル化ポリマー）、線状低密度ポリオレフィン袋、穿孔シート、バッフル、注入器、高温において油透過性であるポリマー、油不溶性であるが油濡れ性である粒子、粘性改良剤として機能することができる油溶性の固体ポリマー、またはそれらの混合物の少なくとも１つを含む、請求項１に記載の方法。
【請求項３】
前記送達システムが放出制御添加剤ゲルを含み、ここで、前記放出制御ゲル組成物が、
ｉ．）清浄剤、分散剤、酸、塩基、過塩基性清浄剤、コハク酸化ポリオレフィン、またはそれらの混合物を含む群から選択される少なくとも２つの添加剤であって、該選択された添加剤は組み合わされるとゲルを生成する、少なくとも２つの添加剤、
ｉｉ．）必要に応じて、粘度改質剤、フリクションモディファイア、清浄剤、曇点降下剤、流動点降下剤、デマルシファイアー、流動性向上剤、帯電防止剤、分散剤、酸化防止剤、消泡剤、防食／防錆剤、極圧／耐摩耗剤、シール膨潤剤、潤滑助剤、ミスチング防止剤、またはそれらの混合物を含む少なくとも１つの添加剤、
を含み、
放出制御ゲルが生成され、該放出制御ゲルは、該ゲルが機能液と接触しているときに少なくとも１つの所望の添加剤を該機能液中に経時的に放出する、請求項１に記載の方法。
【請求項４】
前記ゲルは、過塩基性清浄剤、スクシンイミド分散剤、および消泡剤を含んで放出制御ゲルを生成し、該放出制御ゲルは、消泡剤添加剤を前記機能液に経時的に放出して、発泡傾向を低減し、該液の安定性を改善する、請求項３に記載の方法。
【請求項５】
前記ゲルは、過塩基性清浄剤、スクシンイミド分散剤、無灰型酸化防止剤、およびポリコハク酸化ポリオレフィンを含んで放出制御ゲルを生成し、該放出制御ゲルは、酸化防止剤添加剤をエンジンの前記機能液に経時的に放出する、請求項３に記載の方法。
【請求項６】
過塩基性清浄剤、スクシンイミド分散剤、フリクションモディファイア、およびポリコハク酸化ポリオレフィンを含んで放出制御ゲルを生成し、該放出制御ゲルは、該フリクションモディファイアを前記機能液に経時的に放出して、金属部品間の摩擦係数を低減する、請求項３に記載の方法。
【請求項７】
耐摩耗剤／極圧剤をさらに含み、該耐摩耗剤／極圧剤がリンエステル酸のアミン塩を含む、請求項６に記載の方法。
【請求項８】
前記第１機能液がマニュアルトランスミッション液であり、前記第２機能液が軸液である、請求項１に記載の方法。
【請求項９】
機械デバイスを潤滑するための方法であって、
（ａ）１つ以上の送達システムを使用するステップであって、該送達システムが、同じでも、類似しても、異なっても、またはその組合せでもよく、該送達システムの組成物が、第１機能液に添加されるかまたは該第１機能液を第２機能液に変化させる、所望の添加剤に依存する、ステップと、
（ｂ）該第１機能液を１つ以上の送達システムと接触させるステップであって、該機能液が、１種類より多くの種類であってもよく、該送達システムが、清浄剤、分散剤、酸、塩基、過塩基性清浄剤、コハク酸化ポリオレフィン、粘度改質剤、フリクションモディファイア、清浄剤、曇点降下剤、流動点降下剤、デマルシファイアー、流動性向上剤、帯電防止剤、分散剤、酸化防止剤、消泡剤、防食／防錆剤、極圧／耐摩耗剤、シール膨潤剤、潤滑助剤、ミスチング防止剤、またはそれらの混合物を含む少なくとも１つの添加剤を含む、ステップと、
を含み、
該送達システムが該第１機能液と接触すると、該第１機能液が該第２機能液に変化する、方法。
【請求項１０】
前記送達システムが放出制御添加剤ゲルを含み、前記放出制御ゲル組成物が、
ｉ．）清浄剤、分散剤、酸、塩基、過塩基性清浄剤、コハク酸化ポリオレフィン、またはそれらの混合物を含む群から選択された少なくとも２つの添加剤であって、該選択された添加剤は組み合わされるとゲルを生成する、少なくとも２つの添加剤、
ｉｉ．）必要に応じて、粘度改質剤、フリクションモディファイア、清浄剤、曇点降下剤、流動点降下剤、デマルシファイアー、流動性向上剤、帯電防止剤、分散剤、酸化防止剤、消泡剤、防食／防錆剤、極圧／耐摩耗剤、シール膨潤剤、潤滑助剤、ミスチング防止剤、またはそれらの混合物を含む少なくとも１つの添加剤、
を含み、
放出制御ゲルが生成され、該放出制御ゲルは、該ゲルが機能液と接触しているときに少なくとも１つの所望の添加剤を該機能液中に経時的に放出する、請求項９に記載の方法。
【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
１もしくは複数のコアセルベートカプセル中にカプセル化された活性成分を含有する粒子であって、１もしくは複数のコアセルベートカプセルは、さらにガラス状マトリックス中にカプセル化されており、その際、ガラス状マトリックスは、
（ｉ）疎水性に変性されたデンプン  ３〜５０質量％および
（ｉｉ）デンプン加水分解産物  ５０〜９７質量％
を含有する、１もしくは複数のコアセルベートカプセル中にカプセル化された活性成分を含有する粒子。
【請求項２】
疎水性に変性されたデンプンが、アルケニルコハク酸エステル化デンプンである、請求項１記載の粒子。
【請求項３】
疎水性に変性されたデンプンが、Ｃ3〜Ｃ14−アルケニルコハク酸エステル化デンプンである、請求項２記載の粒子。
【請求項４】
アルケニルコハク酸エステル化デンプンが、オクテニルコハク酸エステル化デンプンである、請求項３記載の粒子。
【請求項５】
デンプン加水分解産物が、５〜２５のデキストロース当量を有する、請求項１から４までのいずれか１項記載の粒子。
【請求項６】
活性成分が、多価不飽和脂肪酸（ＰＵＦＡ）中のオイルリッチである、請求項１から５までのいずれか１項記載の粒子。
【請求項７】
活性成分をカプセル化して含有する粒子の製造方法であって、コアセルベーションにより活性成分をカプセル化して１もしくは複数のコアセルベートカプセルを得る工程、および１もしくは複数のコアセルベートカプセルの周囲にガラス状のマトリックスを形成する工程を有し、該ガラス状マトリックスは、マトリックス成分として、
（ｉ）疎水性に変性されたデンプン  ３〜５０質量％および
（ｉｉ）デンプン加水分解産物  ５０〜９７質量％
を含有する、活性成分をカプセル化して含有する粒子の製造方法。
【請求項８】
コアセルベートカプセルの周囲にガラス状マトリックスを形成する工程が、コアセルベートカプセルをマトリックス成分と一緒に、噴霧乾燥、噴霧造粒、噴霧凝集および／または押出することにより行われる、請求項７記載の方法。
【請求項９】
コアセルベーションのプロセスが、活性成分の周囲に層を形成する１もしくは複数の親水コロイドを架橋する工程を含む、請求項７または８記載の方法。
【請求項１０】
経口摂取が意図されている活性成分の不所望の、および／または不快な味、異臭または苦味をマスクするための、１もしくは複数のコアセルベートカプセルをカプセル化する、請求項１から５までのいずれか１項記載のガラス状マトリックスの使用。
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
４から２４の炭素原子を持つ線状の低分子量アルファオレフィンを調製する方法であって、
(i)  Ｒ1が飽和または不飽和の脂肪族Ｃ1〜Ｃ10炭化水素または芳香族Ｃ6〜Ｃ14炭化水素であり、ｍが１≦ｍ≦４を満たす、化学式（Ｒ1ＣＯＯ）mＺｒＣｌ4-mのカルボン酸ジルコニウム、
(ii)   Ｒ2がＣ1〜Ｃ20アルキルであり、Ｘが塩素、臭素またはヨウ素であり、ｎが１≦ｎ≦２を満たす、化学式Ｒ2nＡｌＸ3-nの有機アルミニウム化合物から選択された少なくとも１種類のアルミニウム化合物、および／またはアルミノキサン、および
(iii)  エステルおよび硫黄化合物からなる群より選択される少なくとも２種類の異なる添加剤、
を含む触媒系の存在下で、不活性溶媒中においてエチレンをオリゴマー化する工程を有してなる方法。
【請求項２】
前記添加剤がアセト酢酸エチルおよびチオフェンであることを特徴とする請求項１記載の方法。
【請求項３】
４から２０の炭素原子を持つ線状の低分子量アルファオレフィンが調製されることを特徴とする請求項１または２記載の方法。
【請求項４】
前記溶媒が、芳香族炭化水素、脂肪族炭化水素、脂環式炭化水素またはそれらの混合物であることを特徴とする請求項１から３いずれか１項記載の方法。
【請求項５】
前記溶媒が、トルエン、ベンゼン、キシレン、クロロベンゼン、ジクロロベンゼン、クロロトルエン、ペンタン、ヘキサン、ヘプタン、オクタン、ノナン、デカン、シクロヘキサン、デカヒドロナフタレン、ジクロロエタン、ジクロロブタンおよびそれらの混合物からなる群より選択されることを特徴とする請求項４記載の方法。
【請求項６】
前記オリゴマー化が約５０から約１１０℃の温度で行われることを特徴とする請求項１から５いずれか１項記載の方法。
【請求項７】
前記オリゴマー化が、ゲージ圧で、約１０から約５０バールの圧力で行われることを特徴とする請求項１から６いずれか１項記載の方法。
【請求項８】
(i)  Ｒ1が飽和または不飽和の脂肪族Ｃ1〜Ｃ10炭化水素または芳香族Ｃ6〜Ｃ14炭化水素であり、ｍが１≦ｍ≦４を満たす、化学式（Ｒ1ＣＯＯ）mＺｒＣｌ4-mのカルボン酸ジルコニウム、
(ii)   Ｒ2がＣ1〜Ｃ20アルキルであり、Ｘが塩素、臭素またはヨウ素であり、ｎが１≦ｎ≦２を満たす、化学式Ｒ2nＡｌＸ3-nの有機アルミニウム化合物から選択された少なくとも１種類のアルミニウム化合物、および／またはアルミノキサン、および
(iii)  エステルおよび硫黄化合物からなる群より選択される少なくとも２種類の異なる添加剤、
を含む触媒系。
【請求項９】
前記添加剤がアセト酢酸エチルおよびチオフェンであることを特徴とする請求項８記載の触媒系。
【請求項１０】
前記カルボン酸ジルコニウムがＺｒ（ｉ−Ｃ3Ｈ7ＣＯＯ）4であることを特徴とする請求項８または９記載の触媒系。
【請求項１１】
前記アルミニウム化合物がエチルアルミニウムセスキクロライドであることを特徴とする請求項８から１０いずれか１項記載の触媒系。
【請求項１２】
前記アルミニウム化合物の前記ジルコニウム化合物に対するモル比が約１：１から約７０：１であることを特徴とする請求項８から１１いずれか１項記載の触媒系。
【請求項１３】
前記少なくとも２種類の添加剤の合計の前記ジルコニウム化合物に対するモル比が、約０．０１から約２５であることを特徴とする請求項８から１２いずれか１項記載の触媒系。
【請求項１４】
前記少なくとも２種類の添加剤のモル比が約１：１０から約１０：１であることを特徴とする請求項８から１３いずれか１項記載の触媒系。
【請求項１５】
請求項８から１４いずれか１項記載の触媒系を、Ｃ4からＣ24の炭素原子を持つ低分子量線状アルファオレフィンの調製プロセスに使用する方法。